(57)【要約】【課題】風量ＵＰ、騒音減少、消費電力の低下を図ることができるとともに、本体のスペースを有効に活用できる空気清浄機を提供することを目的とする。【解決手段】縦長のクロスフローファン１の吸気側に設けられる集じんフィルター２と脱臭フィルター３よりなるフィルター部４と、フィルター部４を取り出し可能となるように、吸気口５を形成し、着脱自在に設けられる吸気グリル６と、クロスフローファン１の吹出側に設けられる吹出口７とを設けた本体８とを備え、吸気グリル６を本体の背面側に設け、フィルター部４を斜めに配設し、斜め方向に着脱できることにより、風量増加、騒音減少、消費電力の低下を図ることができるとともに、本体のスペースを有効に活用できる空気清浄機を得られる。【選択図】図１
2007021397.tif 000002
【特許請求の範囲】
【請求項１】
縦長のクロスフローファンの吸気側に設けられる集じんフィルターと脱臭フィルターよりなるフィルター部と、このフィルター部を取り出し可能となるように、吸気口を形成し着脱自在に設けられる吸気グリルと、前記クロスフローファンの吹出側に設けられる吹出口とを設けた横断面が略楕円形状の本体とを備え、前記吸気グリルを前記本体の背面側に設け、前記フィルター部を斜めに配設し、斜め方向に着脱できる構成とした空気清浄機。
【請求項２】
集じんフィルターと脱臭フィルターを個別に着脱できる構成とした請求項１記載の空気清浄機。
【請求項３】
本体に設けられる脱臭フィルターの挿入部の入口に、前記脱臭フィルターの側面と接触してガイドとなる案内部を設け、前記案内部の平面を大きく形成した請求項１または２記載の空気清浄機。
【請求項４】
脱臭フィルターより先に集じんフィルターを取り出すことが不可能な取り出し不可能手段を設けた請求項１または２記載の空気清浄機。
【請求項５】
脱臭フィルターより先に集じんフィルターを取り出すことのできない取出し不可能手段を、前記各フィルターを本体から取り出すための取手部に設けた請求項４記載の空気清浄機。
【請求項６】
脱臭フィルターを本体から取り出すときに使用する取手部を、脱臭剤を脱臭フィルター枠から取り出すときに使用する取手に兼用した請求項５記載の空気清浄機。
【請求項７】
脱臭フィルターに設けられる取手部を、集じんフィルターに設けられる取手部より大きく形成した請求項４記載の空気清浄機。
【請求項８】
脱臭フィルターの取手部と集じんフィルターの取手部とに合わせマークを設けた請求項４記載の空気清浄機。
【請求項９】
集じんフィルター枠と脱臭フィルター枠を異なる色とした請求項１または２記載の空気清浄機。
【発明の詳細な説明】
【技術分野】
【０００１】
本発明は、室内の汚染された空気を浄化する空気清浄機に関する。
【背景技術】
【０００２】
従来、この種の空気清浄機の一例として横断面形状が略楕円形の本体を用いた空気清浄装置が知られている（特許文献１参照）。
【０００３】
以下、その空気清浄機について図１４を参照しながら説明する。
【０００４】
図に示すように、横断面が楕円形状の本体１０１の長径方向に長いスペースを利用して空気の挿入口１０２と出口１０３を設け、取入口１０２と出口１０３の間には、帯電手段１０４と起風電極１０５よりなる起風手段１０６と、吸着電極１０７とフィルター１０８とをそれぞれ単独に形成し、本体１０１前面に設けた蓋体１０９を外すことで、起風手段１０６、吸着電極１０７およびフィルター１０８を着脱可能に設け構成していた。
【特許文献１】特開平１０−２１６５６１号公報（［００１９］〜［００３４］、図３）
【発明の開示】
【発明が解決しようとする課題】
【０００５】
このような従来の空気清浄装置では、楕円形状の本体１０１の短径方向に起風手段１０６と吸着電極１０７およびフィルター１０８を並べ、空気の取入口１０２と出口１０３間に流れる空気流に直交するように設けていたため、吸着電極１０７およびフィルター１０８の奥行寸法は大きく、通風面積が小さくなるため、通風量を増やす場合は圧力損失が大きくなるという課題があり、送風ファンが使用できるように圧力損失を低減させることが要求されている。
【０００６】
本発明は、このような従来の課題を解決するものであり、通風時の圧力損失を低減し、通風ファンに対して風量増大、騒音減少、消費電力の低下を図ることができるとともに、本体のスペースを有効に活用できる空気清浄機を提供することを目的としている。
【課題を解決するための手段】
【０００７】
本発明の空気清浄機は上記目的を達成するために、縦長のクロスフローファンの吸気側に設けられる集塵フィルターと脱臭フィルターよりなるフィルター部と、このフィルター部を取り出し可能となるように、吸気口を形成し着脱自在に設けられる吸気グリルと、前記クロスフローファンの吹出側に設けられる吹出口とを設けた横断形状が略楕円形状の本体とを備え、前記吸気グリルを、前記本体の背面側に着脱自在に設け、前記フィルター部を斜めに配設し、斜め方向に着脱できる構成としたものである。
【０００８】
この手段により、通風時の圧力損失を低減し、クロスフローファンに対して風量増大、騒音減少、消費電力の低下を図ることができるとともに、本体スペースを有効に活用できる空気清浄機が得られる。
【０００９】
また、他の手段は、集じんフィルターと脱臭フィルターを個別に着脱できる構成としたものである。
【００１０】
この手段により、メンテナンス性を向上させた空気清浄機が得られる。
【００１１】
また、他の手段は、本体に設けられる脱臭フィルターの挿入部の入口に、前記脱臭フィルターの側面と接触としてガイドとなる案内部を設け、前記案内部の平面を大きく形成したものである。
【００１２】
この手段により、脱臭フィルターの着脱性を向上できる空気清浄機が得られる。
【００１３】
また、他の手段は、脱臭フィルターより先に集じんフィルターを取り出すことが不可能な取り出し不可能手段を設けたものである。
【００１４】
この手段により、使用者のフィルターの取り出し間違いを事前に防止できるとともに、安全にメンテナンスができる空気清浄機が得られる。
【００１５】
また、他の手段は、脱臭フィルターより先に集じんフィルターを取り出すことのできない取り出し不可能手段を、前記各フィルターを本体から取り出すための取手部に設けたものである。
【００１６】
この手段により、フィルターの本体からの取り出し順序を使用者が容易に判断できる空気清浄機が得られる。
【００１７】
また、他の手段は、脱臭フィルターを本体から取り出すときに使用する取手部を、脱臭剤を脱臭フィルター枠から取り出すときに使用する取手を兼用したものである。
【００１８】
この手段により、部品構造が簡単になるとともに、使用者の間違った使用方法を防止することができる空気清浄機が得られる。
【００１９】
また、他の手段は、脱臭フィルターに設けられる取手部を、集じんフィルターに設けられる取手部より大きく形成したものである。
【００２０】
この手段により、意図しない取り出し方を防止することができる空気清浄機が得られる。
【００２１】
また、他の手段は、脱臭フィルターの取手部と集じんフィルターの取手部に、合わせマークを設けたものである。
【００２２】
この手段により、使用者の誤取付けを防止することができる空気清浄機が得られる。
【００２３】
また、他の手段は、集じんフィルター枠と脱臭フィルター枠を異なる色としたものである。
【００２４】
この手段により、フィルターの誤認識を防止することができる空気清浄機が得られる。
【発明の効果】
【００２５】
本発明によれば、風量増加、騒音減少、消費電力の低下を図ることができるとともに、本体スペースを有効に活用できるという効果のある空気清浄機を提供できる。
【００２６】
また、メンテナンス性を向上できるという効果のある空気清浄機を提供できる。
【００２７】
また、脱臭フィルターの着脱性を向上できるという効果のある空気清浄機を提供できる。
【００２８】
また、使用者のフィルターの取り出し間違いを事前に防止できるという効果のある空気清浄機を提供できる。
【００２９】
また、フィルターの本体からの取り出し順序を使用者が容易に判断できるという効果のある空気清浄機を提供できる。
【００３０】
また、部品構造の簡素化とともに使用者の間違った使用方法を防止することができるという効果のある空気清浄機を提供できる。
【００３１】
また、使用者の誤取付けを防止することができるという効果のある空気清浄機を提供できる。
【発明を実施するための最良の形態】
【００３２】
本発明の請求項１記載の発明は、縦長のクロスフローファンの吸気側に設けられ集塵フィルターと脱臭フィルターよりなるフィルター部と、このフィルター部を取り出し可能となるように吸気口を形成し着脱自在に設けられる吸気グリルと、前記クロスフローファンの吹出側に設けられる吹出口とを設けた横断面が略楕円形状の本体とを備え、前記吸気グリルを前記本体の背面側に設け、前記フィルター部を斜めに配設し、斜め方向に着脱できる構成としたものであり、縦置きのクロスフローファンを塔載した空気清浄機の場合、クロスフローファンに対して斜めにフィルター部を配置することで、クロスフローファンの送風スペースを確保すると共に、送風路内でのフィルター部の送風通過面積を最大限に大きくすることができ、フィルター部の通過風速を低減させることができることにより、圧力損失を低減させ、風量増大、騒音減少、消費電力低下につながることができ、また、本体背面から斜め後方にフィルター部を取り出すことで限られた本体スペースを有効に活用し、メンテナンスを容易に行うことができるという作用を有する。
【００３３】
また、請求項２記載の発明は、集じんフィルターと脱臭フィルターを個別に着脱できる構成としたものであり、集じんフィルターと脱臭フィルターの寿命が異なる場合、個別に本体から取出して交換や洗浄を行うことができ、メンテナンス性を向上させることができるという作用を有する。
【００３４】
また、請求項３記載の発明は、本体に設けられる脱臭フィルターの挿入部の入口に、前記脱臭フィルターの側面と接触してガイドとなる案内部を設け、前記案内部の平面を大きく形成したものであり、脱臭フィルターの挿入部の入口の平面を大きくすることで、脱臭フィルターのスライドが容易になり本体への着脱性を向上させることができるという作用を有する。
【００３５】
また、請求項４記載の発明は、脱臭フィルターより先に集じんフィルターを取り出すのが不可能な取り出し不可能手段を設けたものであり、一般的に集じんフィルターよりも脱臭フィルターの方が寿命が短く、脱臭フィルターの方が本体から取り出す頻度が多いので、使用者の取り出し間違いを、事前に防止することができ、また、電気式の集じんフィルターの場合、集じんフィルターに帯電した電荷を放電させるための抵抗を集じんフィルター内部に設けることが多いが、電源供給の遮断後、電荷を完全に放電させるためには数秒間の時間が必要であり、集じんフィルターを取り出す前に、脱臭フィルターの取出しを行うことで、前記の放電時間を確保することができ、使用者がより安全に集じんフィルターのメンテナンスを行うことができるという作用を有する。
【００３６】
また、請求項５記載の発明は、脱臭フィルターより先に集じんフィルターを取り出すことのできない取り出し不可能手段を、前記各フィルターを本体から取り出すための取手部に設けたものであり、本体からフィルター部を取り出すための取手に脱臭フィルターより先に集塵フィルターを取り出すことのできない取り出し不可能手段を設けることで、取手部を持って本体よりフィルター部を取り出すときには必ず脱臭フィルターが先に取り出され、そのあと集じんフィルターが取り出されるので本体から取り出すフィルターの取り出し順序を使用者が容易に判断することができるという作用を有する。
【００３７】
また、請求項６記載の発明は、脱臭フィルターを本体から取り出すときに使用する取手部を、脱臭剤を脱臭フィルター枠から取り出すときに使用する取手に兼用したものであり、脱臭フィルターに、脱臭フィルターを本体に着脱するための取手と脱臭剤を脱臭フィルター枠から取り出すための取手の２種類の取手を用いる必要がなくなり、部品構造が簡単になり、金型製作費用を低減できるとともに、脱臭フィルターに取手が２種類存在することによる使用者の間違った使用方法を防止することができるという作用を有する。
【００３８】
また、請求項７記載の発明は、脱臭フィルターに設けられる取手部を、集じんフィルターに設けられる取手部より大きく形成したものであり、脱臭フィルターを本体より取手部を用いて取り出すまでは、集じんフィルターの取手部は脱臭フィルターの大きな取手部により隠れているため、脱臭フィルターを本体から取り出すまでは、集じんフィルターの取手部を掴むことができないので、意図しない取り出し方法を防止することができるという作用を有する。
【００３９】
また、請求項８記載の発明は、脱臭フィルターの取手部と集じんフィルターの取手部に、合わせマークを設けたものであり、それぞれのフィルターの取手部に合わせマークを取り付けることで、着脱順序の存在する２つのフィルターの取付け順序を容易に判断することができ、使用者の誤取付けを防止することができるという作用を有する。
【００４０】
また、請求項９記載の発明は、集じんフィルター枠と脱臭フィルター枠を異なる色で形成したものであり、フィルター部を側面から見た場合においても、使用者が集じんフィルターと脱臭フィルターの区別を容易に判断することができ、集じんフィルターと脱臭フィルターの誤認識を防止することができるという作用を有する。
【００４１】
以下、本発明の実施の形態について図面を参照しながら説明する。
【００４２】
（実施の形態１）
図１〜図５に示すように、縦長のクロスフローファン１の吸気側に設けられる集じんフィルター２と脱臭フィルター３よりなるフィルター部４と、フィルター部４を取り出し可能となるように、吸気口５を形成した着脱自在に設けられる吸気グリル６と、クロスフローファン１の吹出側に設けられる吹出口７とを設けた横断面が略楕円形状の本体８とを備え、吸気グリル６を本体８の背面側に設け、フィルター部４を斜めに配設し、斜め方向に着脱できるように設ける。
【００４３】
また、集じんフィルター２と脱臭フィルター３を個別に着脱できるように設け、本体８に設けられる脱臭フィルター３の挿入部の入口９に脱臭フィルター３の側面と接触してガイドとなる案内部１０を設け、案内部１０の平面を大きく形成して構成する。
【００４４】
上記構成において、空気清浄機を運転すると、クロスフローファン１が駆動され、吸気グリル６に設けた吸気口５より吸い込まれた汚染空気は、フィルター部４を通過する間にフィルター部４の集じんフィルター２で汚染空気内の粉塵が捕集され、脱臭フィルター３で臭気が吸着され、浄化された空気がクロスフローファン１により吹出口７に送られ、吹出口７から浄化された空気が吹き出される。
【００４５】
次に、フィルター部４に設けられる集じんフィルター２より脱臭フィルター３の寿命が通常は短いので、脱臭フィルター３のみを先に交換する場合が多く、このときは本体８に着脱自在に設けられている吸気グリル６を取り外し、脱臭フィルター３を背面側において斜めに取り出したのち、新しい脱臭フィルター３を取り付け、吸気グリル６を装着する。
【００４６】
また、集じんフィルター２を洗浄または交換するときには、吸気グリル６を取り外したのち、集じんフィルター２を取り出して洗浄または交換を行うようにする。
【００４７】
このように実施の形態１の発明によれば、縦長のクロスフローファン１の吸気側に設けられる集じんフィルター２と脱臭フィルター３よりなるフィルター部４と、フィルター部４を取り出し可能となるように吸気口５を形成し、着脱自在に設けられる吸気グリル６と、クロスフローファン１の吹出側に設けられる吹出口７とを設けた横断面が略楕円形状の本体８とを備え、吸気グリル６を本体８の背面側に設け、フィルター部４を斜めに配設し、斜め方向に着脱できるように設けているので、縦長のクロスフローファン１を塔載した場合、クロスフローファン１に対して斜めフィルター部４を配置することで、クロスフローファン１の送風スペースを確保できるとともに、送風路内でのフィルター部４の通過風速を低減させることができ、圧力損失を低減させ、風量増加、騒音減少、消費電力低下につながることができる。
【００４８】
また、本体８背面から斜め後方にフィルター部４を取り出すことで限られた本体スペースを有効に活用し、メンテナンスを容易に行うことができ、また、フィルター部４を本体８の前面や天面からの取り出しでは、フィルター部４を着脱するために前面や天面に着脱自在なカバー等を設ける必要があり、デザイン性に欠けるということが防止できる。
【００４９】
また、集じんフィルター２と脱臭フィルター３を個別に着脱できるので、集じんフィルター２と脱臭フィルター３の寿命が異なる場合、個別に本体８から取り出して洗浄や変換を行うことができメンテナンス性も向上できる。
【００５０】
また、本体８に設けられる脱臭フィルター３の挿入部の入口９に、脱臭フィルター３の側面と接触してガイドとなる案内部１０を設け、案内部１０の平面を大きく形成したので、脱臭フィルター３のスライドが容易となり、本体８への着脱性を向上させることができる。
【００５１】
（実施の形態２）
図６に示すように、脱臭フィルター３Ａより先に集じんフィルター２Ａを取り出すことが不可能な取り出し不可能手段１１を、脱臭フィルター３Ａと集じんフィルター２Ａを本体８Ａから取り出すための脱臭フィルターの取手部１２と集じんフィルターの取手部１３との間に設けるように脱臭フィルターの取手部１２に、集じんフィルターの取手部１３上に重合する突出部を形成し構成する。
【００５２】
上記構成においては、脱臭フィルター３Ａより先に集じんフィルター２Ａを取り出そうとしても、集じんフィルターの取手部１３には脱臭フィルターの取手部１２に設けた取り出し不可能手段１１が重合しているため、集じんフィルター２Ａのみを脱臭フィルター３Ａより先に個別で取り出すことはできなくなる。
【００５３】
このように実施の形態２の発明によれば、脱臭フィルター３Ａより先に集じんフィルター２Ａを取り出すことが不可能な取り出し不可能手段１１を設けたので、一般的に集じんフィルター２Ａよりも脱臭フィルター３Ａの方が寿命が短く脱臭フィルター３Ａの方が本体８Ａから取り出す頻度が多いので使用者が間違って集じんフィルター２Ａのみを取り出そうとしても、取り出し不可能手段１１により集じんフィルター２Ａのみが取り出せないので、使用者の取り出し間違いを事前に防止することができる。また電気式の集じんフィルター（図示せず）の場合、集じんフィルターに帯電した電荷を放電させるための抵抗を集じんフィルター内部に設けることが多いが、電源供給の遮断後、電荷を完全に放電させるためには数秒間の時間が必要であり、集じんフィルターを取り出す前に脱臭フィルターの取り出しを行うことで、放電時間を確保することができ、使用者がより安全に集じんフィルターのメンテナンスを行うことができることとなる。
【００５４】
また、脱臭フィルター３Ａより先に集じんフィルター２Ａを取り出すことのできない取り出し不可能手段１１を、脱臭フィルター３Ａおよび集じんフィルター２Ａを本体８から取り出すための脱臭フィルターの取手部１２と集じんフィルターの取手部１３を設けたので、脱臭フィルターの取手部１２と集じんフィルターの取手部１３を持って本体８Ａより脱臭フィルター３Ａおよび集じんフィルター２Ａを取り出すときには、必ず脱臭フィルター３Ａが先に取り出され、そのあと集じんフィルター２Ａが取り出されるので、本体８Ａから取り出す脱臭フィルター３Ａおよび集じんフィルター２Ａの取り出し順序を使用者が容易に判断することができるものである。
【００５５】
なお、実施の形態２では、取り出し不可能手段を取手部に設けたものを用いて説明したが、脱臭フィルターと集じんフィルター自体に設けてもよい。
【００５６】
（実施の形態３）
図７〜図９に示すように、脱臭フィルター３Ｂを、本体８Ｂから取り出すときに使用する脱臭フィルターの取手部（図示せず）を、脱臭剤１４を脱臭フィルター枠１５から取り出すときに使用する取手１６に兼用し、取手１６は集じんフィルター２Ｂに重ね合わせて構成する。
【００５７】
上記構成においては、脱臭フィルター３Ｂに、脱臭フィルター３Ｂを本体８Ｂに着脱するための脱臭フィルターの取手部として、脱臭フィルターの取手部と、脱臭剤１４を脱臭フィルター枠１５から取り出すための取手１６の２種類の取手を用いる必要がなくなり、部品構造が簡単になり、金型製作費用を低減できるとともに、脱臭フィルター３Ｂに取手が２種類存在することにより使用者の間違った使用方法を防止することができ、取手１６により集じんフィルター２Ｂが先に取り出すのを防止することができる。
【００５８】
（実施の形態４）
図１０および図１１に示すように、脱臭フィルター３Ｃに設けられる取手部１２Ａを集じんフィルター２Ｃに設けられる集じんフィルターの取手部１３Ａより大きく形成し構成する。
【００５９】
上記構成においては、脱臭フィルター３Ｃを本体８Ｃより、脱臭フィルターの取手部１２Ａを用いて取り出すまでは、集じんフィルターの取手部１３Ａは、脱臭フィルター３Ｃの大きな脱臭フィルターの取手部１２Ｃにかくれているため、脱臭フィルター３Ｃを本体８Ｃから取り出すまでは集じんフィルターの取手部１３Ａを掴むことができないので、意図しない取り出し操作を防止することができるものである。
【００６０】
（実施の形態５）
図１２に示すように、脱臭フィルターの取手部１２Ｂと集じんフィルターの取手部１３Ｂに、合わせマーク１７を設け構成する。
【００６１】
上記構成においては、着脱順序の存在する２つの脱臭フィルター３Ｄと、集じんフィルター２Ｃの取付け順序を容易に判断することができ、また合わせマーク１７を合わせて取り付けることにより、使用者の誤取付けを防止することができるものである。
【００６２】
（実施の形態６）
図１３に示すように、集じんフィルター枠１８と脱臭フィルター枠１５Ａを異なる色で構成する。
【００６３】
上記構成においては、フィルター部４Ａを側面から見た場合においても集じんフィルター２Ｄと脱臭フィルター３Ｅの判別が容易にでき、使用者が集じんフィルター２Ｄと脱臭フィルター３Ｅの誤認識を防止することができるものである。
【産業上の利用可能性】
【００６４】
通風方向にプレフィルター、高圧イオン化部、電気集じん部、脱臭フィルターのように複数のフィルターを縦列配置した空気清浄装置においても、取手に取り出し不可能手段を設けて、側面から安全に着脱できる用途に利用することができる。
【図面の簡単な説明】
【００６５】
【図１】本発明の実施の形態１の空気清浄機の横断面図
【図２】同空気清浄機の正面側斜視図
【図３】同空気清浄機の背面側斜視図
【図４】同空気清浄機の脱臭フィルターと集じんフィルター取り出し状態を示す斜視図
【図５】同空気清浄機の脱臭フィルターの取り出し用案内部を示す横断面図
【図６】本発明の実施の形態２の空気清浄機を示す背面斜視図
【図７】本発明の実施の形態３の空気清浄機の脱臭フィルターの斜視図
【図８】同空気清浄機の脱臭剤の取り出し状態を示す脱臭フィルター枠の斜視図
【図９】同空気清浄機の背面側斜視図
【図１０】本発明の実施の形態４の空気清浄機の背面側斜視図
【図１１】同空気清浄機の取手部分の状態を示す要部正面図
【図１２】本発明の実施の形態５の空気清浄機の合わせマークを示す要部正面図
【図１３】本発明の実施の形態６の空気清浄機の背面側斜視図
【図１４】従来の空気清浄装置の横断面図
【符号の説明】
【００６６】
１      クロスフローファン
２      集じんフィルター
２Ａ    集じんフィルター
２Ｃ    集じんフィルター
３      脱臭フィルター
３Ａ    脱臭フィルター
３Ｂ    脱臭フィルター
３Ｃ    脱臭フィルター
４      フィルター部
５      吸気口
６      吸気グリル
７      吹出口
８      本体
８Ａ    本体
９      挿入部の入口
１０    案内部
１１    取り出し不可能手段
１２    脱臭フィルターの取手部
１２Ａ  脱臭フィルターの取手部
１２Ｂ  脱臭フィルターの取手部
１３    集じんフィルターの取手部
１３Ａ  集じんフィルターの取手部
１３Ｂ  集じんフィルターの取手部
１４    脱臭剤
１５    脱臭フィルター枠
１５Ａ  脱臭フィルター枠
１６    取手部
１７    合わせマーク
１８    集じんフィルター枠
【図１】
2007021397.tif 000003
【図２】
2007021397.tif 000004
【図３】
2007021397.tif 000005
【図４】
2007021397.tif 000006
【図５】
2007021397.tif 000007
【図６】
2007021397.tif 000008
【図７】
2007021397.tif 000009
【図８】
2007021397.tif 000010
【図９】
2007021397.tif 000011
【図１０】
2007021397.tif 000012
【図１１】
2007021397.tif 000013
【図１２】
2007021397.tif 000014
【図１３】
2007021397.tif 000015
【図１４】
2007021397.tif 000016